(57)【要約】      （修正有）【課題】機能性の良さ、使い勝手の良さが確保できると共に、斬新なデザインを実現するエンタテインメント装置を提供する。【解決手段】機器本体と、この機器本体を収容する筐体１００とで構成されるエンタテインメント装置において、機器本体は、外部との間で、情報の入力および出力のうち少なくとも一方を行うための複数種の機器要素３１０、３２０、３３０を有する。筐体１００は、複数の面で囲まれる形態を有し、その少なくとも１の面に、同一方向に延びる複数本の凸条１２１が配列されて構成される凹凸パターン１２０を有する。各凸条１２１は、同一方向に並んで配置され、１の面には、複数種の機器要素のうち、少なくとも１の機器要素に対応する開口部が配置される。開口部の縁のうち二辺が、凸条１２１と同方向に並ぶ。【選択図】図１
0003106892.tif 000002
【実用新案登録請求の範囲】
【請求項１】
機器要素と、前記機器要素を収容する筐体とで構成されるエンタテインメント装置において、
前記機器要素は、外部との間で、情報の入力および出力のうち少なくとも一方を行うための複数種の要素として、
ディスク型記録媒体を装着するための装着部を有し、前記装着部に装着された記録媒体から情報の読み出しを少なくとも行う記録媒体駆動装置と、
データの記録および再生を行うための記録装置の装着を受け入れて、当該記録装置を着脱自在に保持すると共に、電気的接続を行う第１のソケットコネクタと、
エンタテインメント装置に指示を入力するためのコントローラのプラグコネクタを受け入れて、当該プラグコネクタを着脱自在に保持すると共に、電気的接続を行う第２のソケットコネクタとを有し、
前記筐体は、
前記複数の面を有する形態を有し、
前記複数の面のうち少なくとも１の面に、それぞれ同一方向に延びる複数本の凸条の配列と、前記凸条の配列における各凸条間に生じる複数本の凹溝とにより構成される凹凸パターンが配置され、かつ、
前記凹凸パターンが配置された面のいずれか１つの面に、該凹凸パターン中においてそれぞれ開口する、前記ディスク型記録媒体を装着する装着部が出没可能な開口形状および大きさを持つ第１の開口部と、前記第１のソケットコネクタを配置するために用いることができる、開口形状および大きさを持つ第２の開口部と、前記第２のソケットコネクタを配置するために用いることができる、開口形状および大きさを持つ第３の開口部とが配置され、
各開口部は、それぞれの開口縁のうち二辺が、前記凸条と同方向に並ぶ形状を有し、前記二辺のうちの一辺が、前記複数本の凹溝のいずれかの凹溝底部に位置し、他の一辺が、それとは異なる凹溝底部に位置し、
少なくとも１つの開口部は、その長手方向の開口縁が前記凸条と同方向に配置されることを特徴とするエンタテインメント装置。
【請求項２】
請求項１に記載のエンタテインメント装置において、
前記筐体は、前記第１のソケットコネクタが設けられる第２の開口部に、当該第２の開口部を閉じるためのシャッタを有し、
前記シャッタは、その外側の面に、第２の凸条を有し、
前記第２の凸条は、前記凹凸パターンを構成する凸条と同方向に並ぶことを特徴とするエンタテインメント装置。
【請求項３】
請求項１に記載のエンタテインメント装置において、
前記装着部は、当該装着部が前記第１の開口部内に収容された状態で、当該第１の開口部を塞ぐ面に、第３の凸条を有し、
前記第３の凸条は、前記凹凸パターンを構成する凸条と同方向に並ぶことを特徴とするエンタテインメント装置。
【請求項４】
請求項１に記載のエンタテインメント装置において、
前記機器要素として、キートップを有する操作部をさらに有し、
前記キートップを配置するための第４の開口部が、前記１の面に配置されること
を特徴とするエンタテインメント装置。
【請求項５】
請求項１〜４のいずれか一項に記載のエンタテインメント装置において、
前記凹凸パターンにおいて、前記凸条が一定ピッチで配列されることを特徴とするエンタテインメント装置。
【請求項６】
請求項１〜４のいずれか一項に記載のエンタテインメント装置において、
前記筐体は、上部筐体と下部筐体とを有し、
前記１の面は、前記上部筐体を構成する面のいずれかであることを特徴とするエンタテインメント装置。
【請求項７】
請求項１〜４のいずれか一項に記載のエンタテインメント装置において、
前記筐体は、上部筐体および下部筐体と、これらを仕切る中央シャーシとを有し、
前記１の面は、前記上部筐体を構成する面のいずれかであることを特徴とするエンタテインメント装置。
【考案の詳細な説明】
【技術分野】
【０００１】
本考案は、機器本体を筐体に収容したエンタテインメント装置に関する。
【背景技術】
【０００２】
情報処理装置などの電子機器は、一般に、機器本体と、それを収容する筐体とを有する。そして、外部から、記録媒体、メモリカード、プラグ等が装着されて、種々の用途に使用される。例えば、ゲームを楽しむことができるエンタテインメント装置の場合、まず、コントローラに接続されたワイヤの先端に取り付けられているプラグコネクタを、ソケットコネクタに装着する。必要なメモリカードを専用のソケットコネクタに装着する。次に、ＣＤ、ＤＶＤ等の記録媒体を、その再生を行う記録媒体駆動装置に装着して、記録媒体に記録されているゲームを実行する。
【０００３】
この種の電子機器では、筐体は、それに収容される機器本体を確実に収容すると共に、外部との接続ができるように、その形態、外観が設計される。そのため、この種の電子機器の筐体では、通常、それが持つ機能を優先して、形状および構造について設計される。その後、機能を満たした形状および構造に基づいて、筐体の外観について設計がなされる。
【考案の開示】
【考案が解決しようとする課題】
【０００４】
しかし、電子機器のうち、特に、最終ユーザが個人であるような製品についての売れ行きは、機能に左右されるだけではなく、外観デザインにも影響を受ける。例えば、ゲーム、音楽再生、映像再生、通信等に用いられるエンタテインメント装置の場合、特に、外観デザインにより大きな影響を受ける。そして、この種のエンタテインメント装置では、よりリアルで美しい動画の再生、高度なゲームの実行等において、高性能なものが求められる傾向にある。そして、ユーザは、装置の性能の良さを、カタログ等の説明、広告宣伝の他、筐体の外観デザインの斬新性によって評価する傾向がある。従って、この種の電子機器の場合、外観デザインは、製品開発において、極めて重要な事項である。
【０００５】
一方、電子機器は、本来の使用目的に即して使用できること、また、ユーザにとって使い勝手がよいことも重要である。デザインを優先したがために、機能性が低下し、また、使い勝手が低下することは避けるべきである。
【０００６】
従って、筐体については、外観デザインと、当該電子機器の機能性とを融合させた形態とすることが求められる。ところが、従来は、電子機器の筐体について、このような配慮がなされていなかった。
【０００７】
本考案の目的は、機能性の良さ、使い勝手の良さが確保できると共に、斬新なデザインを実現する、機能性と外観デザインとを融合させた形態を有するエンタテインメント装置を提供することにある。
【課題を解決するための手段】
【０００８】
前記目的を達成するため、本考案によれば、
機器要素と、前記機器要素を収容する筐体とで構成されるエンタテインメント装置において、
前記機器要素は、外部との間で、情報の入力および出力のうち少なくとも一方を行うための複数種の要素として、
ディスク型記録媒体を装着するための装着部を有し、前記装着部に装着された記録媒体から情報の読み出しを少なくとも行う記録媒体駆動装置と、
データの記録および再生を行うための記録装置の装着を受け入れて、当該記録装置を着脱自在に保持すると共に、電気的接続を行う第１のソケットコネクタと、
エンタテインメント装置に指示を入力するためのコントローラのプラグコネクタを受け入れて、当該プラグコネクタを着脱自在に保持すると共に、電気的接続を行う第２のソケットコネクタとを有し、
前記筐体は、
前記複数の面を有する形態を有し、
前記複数の面のうち少なくとも１の面に、それぞれ同一方向に延びる複数本の凸条の配列と、前記凸条の配列における各凸条間に生じる複数本の凹溝とにより構成される凹凸パターンが配置され、かつ、
前記凹凸パターンが配置された面のいずれか１つの面に、該凹凸パターン中においてそれぞれ開口する、前記ディスク型記録媒体を装着する装着部が出没可能な開口形状および大きさを持つ第１の開口部と、前記第１のソケットコネクタを配置するために用いることができる、開口形状および大きさを持つ第２の開口部と、前記第２のソケットコネクタを配置するために用いることができる、開口形状および大きさを持つ第３の開口部とが配置され、
各開口部は、それぞれの開口縁のうち二辺が、前記凸条と同方向に並ぶ形状を有し、前記二辺のうちの一辺が、前記複数本の凹溝のいずれかの凹溝底部に位置し、他の一辺が、それとは異なる凹溝底部に位置し、
少なくとも１つの開口部は、その長手方向の開口縁が前記凸条と同方向に配置されることを特徴とするエンタテインメント装置が提供される。
【考案の効果】
【０００９】
本考案によれば、機能性と外観デザインとを融合させた形態を有するエンタテインメント装置が実現できる。
【考案を実施するための最良の形態】
【００１０】
以下、本考案の実施形態について、それぞれ図面を参照して説明する。以下の実施の形態では、電子機器であるエンタテインメント装置と、それに用いられる筐体とを例として説明する。エンタテインメント装置のような、大衆に広く普及する装置に適用すると、本考案は、より効果的であることはいうまでもない。
【００１１】
本考案の第１の実施形態に係るエンタテインメント装置は、図１に示すように、概略、扁平箱形構造を有する。図１は、エンタテインメント装置を横置き状態として示している。本実施の形態のエンタテインメント装置は、横置きを標準的な姿勢としているが、それに限られない。例えば、縦置きとすることもできる。その場合には、図１において、右側面として表れている部分を上面とする置き方を想定している。なお、他の置き方とするようにしてもよい。
【００１２】
筐体１００は、機器要素を収容する空間を囲む複数の面を構成する部材を有する。これらの部材により、筐体１００の形状が構成される。筐体１００は、図２に示すように、３つの部分からなる。すなわち、筐体１００は、上部筐体１１０、中央シャーシ１４０および下部筐体１７０により構成される。
【００１３】
本実施の形態では、上部筐体１１０と下部筐体１７０とは、共に、概略、扁平な直方体形状を呈している。図１に示す横置き状態において底面となる部分の面積で比較すると、上部筐体１１０の底面積が下部筐体１７０の底面積より大きくなっている。そして、下部筐体１７０は、中央シャーシ１４０に対して、その左側面部１７３および背面部１７６が、図７に示すように、上部筐体１１０の左側面部１１３、および、中央シャーシ１４０の背面部に揃う位置関係にある。すなわち、筐体を正面から見ると、図４に示すように、下部筐体１７０は、左側面側に偏った位置関係にある。また、図７に示すように、背面側にも偏った位置関係にある。従って、図１、図２、図４、図６に示すように、中央シャーシ１４０を中心として、上部筐体１１０と下部筐体１７０とが非対称に位置するように構成されている。
【００１４】
このような形態とすることで、中央シャーシ１４０により、筐体における収容空間を上下に区画することができる。また、上部筐体１１０を大きくすることで、外部とのやりとりが必要な複数種の機器要素を上部筐体に配置することができる。さらに、それらの機器要素を横方向に並ぶように配置できるようにしている。また、これまでは、この種の電子機器では、その上下方向の断面形状は、基本的には、ほとんど変わらない構造となっていた。しかし、本実施の形態では、上部筐体１１０と下部筐体１７０との大きさを変えてあり、しかも、上述したように、上部筐体１１０に対する下部筐体１７０の位置が非対称になっている。その結果、これを見る者に斬新な印象を与えることができる。
【００１５】
上部筐体１１０、中央シャーシ１４０および下部筐体１７０は、中央シャーシ１４０から、および、下部筐体１７０から、それぞれ、図示しないボルトを挿通して、上部筐体１１０側に設けた、図示しないねじ孔に、該ボルトを螺合させることで固定する。
【００１６】
中央シャーシ１４０は、例えば、金属板を加工して形成される。もちろん、これに限定されない。例えば、ある部分を金属板で、他の部分を樹脂板でそれぞれ形成することもできる。
【００１７】
また、上部筐体１１０および下部筐体１４０についても、同様に、金属板を加工して形成することができる。もちろん、これに限定されない。例えば、樹脂を加工して形成することもできる。また、上部筐体を樹脂成形で、下部筐体を金属を加工して形成することも可能である。
【００１８】
なお、図４、図５および図７に示すように、下部筐体１７０の底面部１７５に、横置き時の足とするための足部材１８０が設けられている。また、図４、図１２に示すように、下部筐体１７０の左側面部１７３、および、上部筐体１１０の左側面部１１３に、それぞれ、縦置き時の足とするための、足部材１８０が設けられている。
【００１９】
中央シャーシ１４０は、背面部１４１および中敷部１４２とを備えている。中敷部１４２で、上部筐体１１０側の収容空間と、下部筐体１７０側の収容空間とを区画している。また、この中敷部１４２により、上部筐体１１０内に収容される各種機器要素、例えば、図１４に示すように、ＣＤ、ＤＶＤ等のディスク型記録媒体の再生する機能を少なくとも備える記録媒体駆動装置（ディスクユニット）３１０と、ソケットコネクタ３２０および３３０を有するコネクタユニット３０１と、電源ユニット３０２と、スイッチ・インレットユニット３０４とが、電源回路基板３０３に搭載されている。
【００２０】
記録媒体駆動装置３１０は、出没可能なトレイ３１５と、該トレイ３１５を収容すると共に、ＣＤ、ＤＶＤ等のディスクの再生を行う再生部（図示せず）を有するディスクユニット本体３１６とを有する。前記トレイ３１５は、後述する開口部１３１を経て、出没可能に設けられる。そして、該トレイ３１５に対して外部から記録媒体の着脱が行われる。
【００２１】
前記コネクタユニット３０１に設けられるソケットコネクタ３２０は、外部の物体として、データの記録および再生を行うための記録装置（図示せず）を装着するためのコネクタである。すなわち、このソケットコネクタ３２０は、後述する開口部１３２から差し込まれる記録装置を受け入れて、当該記録装置を着脱自在に保持すると共に、それに対して電気的接続を行う。また、ソケットコネクタ３３０は、開口部１３３から差し込まれるプラグコネクタを受け入れて、当該プラグコネクタを着脱自在に保持すると共に、それに対して電気的接続を行う。プラグコネクタとしては、例えば、図１４に示すような、プラグコネクタ２３０が挙げられる。このプラグコネクタ２３０は、ケーブル２２０を介してコントローラ本体２１０に接続されている。このプラグコネクタ２３０は、ハウジング２３１にコネクタ端子２３２が収容される構造となっている。
【００２２】
中央シャーシ１４０には、貫通孔１４２ｂおよび切欠部１４２ａが設けられている（図２参照）。貫通孔１４２ｂには、下部筐体１７０に設置される放熱フィン３０６（図１３参照）が貫通する。これにより、図１３に示すように、放熱フィン３０６は、その上部側が上部筐体１１０内の空間に突出する。切欠部１４２ａの位置には、後述するように、排気ファン３０５が配置される。
【００２３】
また、図５に示すように、背面部１４１は、上部背面部材１４３と下部背面部材１４４とで構成される。上部背面部材１４３と下部背面部材１４４とは、本実施の形態では、それぞれ、中敷部１４２に対して垂直に設けられる。上部背面部材１４３には、図２に示すように、切欠部１４３ａが設けられている。この切欠部１４３ａには、スイッチ・インレットユニット３０４が装着される（図５、図１３参照）。さらに、図５示すように、上部背面部材１４３および下部背面部材１４４には、前記切欠部１４２ａに対応する位置に、排気口１４３ｂが設けられている。そして、この排気口１４３ｂに、排気ファン３０５が取り付けられている。この他、下部背面部材１４４には、図５、図７に示すように、映像音声信号を出力するための映像音声出力端子５２１と、外部機器との通信を行うための通信端子５２２と、ＰＣＭＣＩＡ規格に準拠した各種カード型周辺装置が装着されるＰＣＭＣＩＡスロット５２３と、装着されたカードの取り出しボタン５２４とが配置される。
【００２４】
下部筐体１７０には、メインボードおよび入出力信号制御基板が収容されている。また、下部筐体１７０には、図４および図１２に示すように、ＵＳＢ（Universal serial bus）、ＩＥＥＥ１３９４等の外部インタフェースのプラグを装着するためのソケットコネクタユニット４００がある。このソケットコネクタユニット４００には、ＵＳＢコネクタ４０１、４０２と、ＩＥＥＥ１３９４コネクタ４０３とが配置されている。これらが正面部に配置されることにより、前述した機器要素類の配置と相まって、使い勝手が向上する。
【００２５】
下部筐体１７０には、通気口１９０が設けられている。なお、図１１に示すように、この他に、上部筐体１１０の底面１４２であって、前記通気口１９０に隣接する位置に、さらに通気口１９０が設けられている。これらの通気口１９０について、その格子パターンにおける横方向格子１９１のピッチを、後述する上部筐体１１０の凹凸パターン１２０における凸条１２１のピッチと整合させるようにしてもよい。そのようにすることで、筐体正面のデザインの統一性がより一層向上する。
【００２６】
上部筐体１１０は、上面部１１１、右側面部１１２、左側面部１１３および正面部１１４を有し、背面部側があいた状態となっている箱形構造となっている。そして、図３に示すように、上部筐体１１０の一つの面である正面部１１４に、外部の物体の装着がそれに対して行われる開口部１３１〜１３３が設けられている。
【００２７】
開口部３１１は、前述した記録媒体駆動装置３１０のトレイ３１５（図１３参照）を出没可能とする位置に配置され、かつ、トレイ３１５が出没可能な開口形状および大きさに形成される。開口部１３２および１３３は、前述したコネクタユニット３０１の各ソケットコネクタ３２０、３３０に対応する位置に配置される。開口部１３２には、シャッタ１３６が設けられている。このシャッタ１３６は、図９に示すように、開口部１３２の一辺１３２ａに、ソケットコネクタ３２０内部に待避可能に支持される。シャッタ１３６は、記録装置が挿入されていない状態では、開口部１３２を塞ぐよう、弾性部材（図示せず）で付勢されている。ソケットコネクタ３３０には、プラグコネクタと接続するための端子３３５が配置されている。
【００２８】
なお、図２には示していないが、上部筐体１１０の正面部１１４には、この他に、開口部１３４および１３５が設けられる（図３参照）。開口部１３４および１３５には、図４に示すような操作部のキートップ３４１、３５１が配置される。具体的には、例えば、図１０に、概念的に示すように、凸条１２１−１と１２１−３とに挟まれる空間にキートップ３５１が配置され、凸条１２１−４と１２１−６とに挟まれる空間にキートップ３４１が配置される。本実施の形態では、キートップ３４１は、記録媒体駆動装置３１０のトレイ３１５（図１３参照）のイジェクトボタンに割り当てられる。また、キートップ３５１は、電源スイッチ兼リセットスイッチに割り当てられる。これにより、操作部についても、後述する凹凸パターン１２０との、デザイン上の整合性が確保できることとなる。
【００２９】
また、上部筐体１１０には、図１、図３、図４、図５、図９、図１１等に示すように、その正面部１１４に、同一方向に延びる複数本の凸条１２１が配列されて構成される凹凸パターン１２０を有する。本実施の形態では、正面部１１４に限らず、右側面部１１２にも凹凸パターン１２０が設けられている。なお、凹凸パターン１２０は、他の面、例えば、左側面部１１３にも設けることができる。なお、上部筐体１１０について、背面部を設けて、この部分にも凹凸パターンを設けるようにしてもよい。凹凸パターン１２０は、どのような方法によっても形成してもよい。例えば、上部筐体１１０を構成する部材の製造時に、凸条１２１を設けることで、凹凸パターンを形成することができる。また、上部筐体１１０を成形する際に、併せて凸条１２１を成形することで形成することができる。さらに、凹凸パターン１２０を上部筐体１１０とは別個に形成することもできる。その場合には、形成された凹凸パターン１２０を上部筐体１１０の外面に取り付ける。
【００３０】
本実施の形態において、正面部１１４に凹凸パターン１２０を設けた理由は、次の通りである。
【００３１】
第１に、記録媒体駆動装置３１０、および、ソケットコネクタ３２０および３３０が外部に表れる部分を、デザイン要素の一部に取り込んで、それらを正面部に配置しても、ユーザに違和感を与えないようにすると共に、さらに、一歩進んで、より斬新な印象を与えるようにするためである。そのため、本実施の形態では、記録媒体駆動装置３１０と、ソケットコネクタ３２０および３３０とを、横置きの場合に横方向、縦置きの場合に縦方向に、それぞれの開口部を並べると共に、その並びと同じ方向に凸条１２１が延びるように、凹凸パターン１２０を形成することで、記録媒体駆動装置３１０、ソケットコネクタ３２０および３３０の配列にデザイン的な統一性を与え、装置に対するユーザの親和性を高めている。一般的には、シャッタ、コネクタ等は、もっぱら機能が優先され、その形態は、外観デザインとは相容れないものと考えられていた。そのため、シャッタ、コネクタ等は、装置の背面、側面等の、ユーザから見えにくい面に配置されていた。しかし、背面側に配置された機器要素については、ユーザ側から見えにくいため、使い勝手が悪いという問題がある。特に、頻繁に着脱するような機器要素については、そのことが顕著である。そこで、本考案では、開口部のシャッタ、コネクタ等についても、デザイン要素の一部となるようにしている。すなわち、それらの形態的特徴を活かすべく、凹凸パターンを正面部に形成している。その結果、開口部のシャッタ、コネクタ等が、外観デザインを損なうことがないことはもちろん、これらを、斬新なデザインを構成する要素の一つとして、積極的に正面部に配置することを可能としたものである。
【００３２】
第２に、正面部１１４に凹凸パターン１２０を設けることにより、筐体１００について、ユーザに、全体として引き締まった印象に与えるようにするためである。すなわち、凹凸パターン１２０は、凸条１２１がリブとしても機能するため、それが設けられている面の強度を増すという効果を期待することができる。その結果、実際の効果と共に、ユーザに、面の強度が増しているという印象を与えることができる。仮に、筐体が構造的強度を持つことについて、リブを必要としていない場合であっても、凸条１２１が存在することで、筐体に十分な強度があるという安心感をユーザに対して与える効果がある。
【００３３】
また、筐体１１０の正面部１１４には、外部からの物体の出し入れを頻繁に行う部位、すなわち、記録媒体駆動装置３１０、ソケットコネクタ３２０、３３０が存在する。これらについては、力が加わることが頻繁に起こり得る。また、乱暴に扱われて、強い衝撃を受ける可能性もある。そのような場合に、凸条１２１がリブとして機能すると、正面部１１４の耐衝撃性の向上を図ることができる。従って、本考案では、筐体１１０の正面部１１４に凹凸パターン１２０を設けることで、頻繁に着脱が行われる機器要素類を正面部に配置することを可能としている。その結果、ユーザの使い勝手を向上することができる。
【００３４】
次に、前記凹凸パターン１２０の凹凸のピッチと、正面部１１４に配置される機器要素との関係について説明する。
【００３５】
図３に示すように、上部筐体１１０の正面部１１４に、横方向（横置き時）に、複数本（図３の場合、６本）の凸条１２１が一定間隔（図３の場合、凸条の幅とほぼ同じ）をあけて配置される。凸条１２１に挟まれる部分が、相対的に凹溝１２２となる。すなわち、本実施の形態では、凹凸が一定ピッチで配置される。この凹凸パターン１２０は、その断面が、例えば、方形波状に形成される。もちろん、これに限られない。例えば、凸条１２１の先端側の幅を基端側の幅に比べて小さくする形態とすることができる。すなわち、凹溝１２２にテーパを持たせる形態とすることができる。また、凸条１２１のエッジに丸みを持たせてもよい。
【００３６】
前記凸条１２１の幅、凹凸パターン１２０のピッチは、例えば、図３に示すように、配置される機器要素を収容するための開口部１３１〜１３３に適合するように定められる。すなわち、記録媒体駆動装置３１０のトレイ３１５の出没に必要な開口形状および大きさを確保する必要がある。また、ソケットコネクタ１３２、１３３においては、それに装着される記録装置、プラグコネクタを装着することができる開口形状および大きさを確保する必要がある。一方、デザイン上は、凸条１２１ができるだけ連続的に延びるようにする必要がある。また、凸条１２１を、耐衝撃性強化のためのリブとして機能させることを考慮すると、狭い幅の凸条１２１を高密度で配置することが望まれる。本考案者らは、これらの条件を満たすべく、研究し、本考案をなし得たものである。
【００３７】
すなわち、図３に示すように、本考案では、凸条１２１のピッチが、前記各開口部１３１〜１３３の、凸条１２１の延びる方向に並ぶ辺１３１ａ、１３１ｂ、１３２ａ、１３２ｂ、１３３ａ、１３３ｂが、それぞれ凹溝１２２内に位置することとなるように選ばれる。具体的には、図８に示すように、開口部１３１では、辺１３１ａが凹溝１２２−２に位置し、辺１３１ｂが凹溝１２２−４に位置する。また、図９に示すように、開口部１３２では、辺１３２ａが凹溝１２２−２に位置し、辺１３２ｂが１２２−３に位置する。さらに、開口部１３３では、辺１３３ａが凹溝１２２−４に位置し、辺１３３ｂが凹溝１２２−５に位置する。これにより、図３、図８および図９に示すように、凸条１２１−３、１２１−４および凹溝１２２−３の延長が開口部１３１を通り、凸条１２１−３の延長が開口部１３２を通り、また、凸条１２１−５の延長が開口部１３３を通る。
【００３８】
本実施の形態では、上述したように、開口部の対向する２辺がそれぞれ対応する凹溝１２２内に位置するように凸条１２１のピッチを設定している。その際、凸条１２１および／または凹溝１２２の幅は、上記の条件を満たした上で、デザイン上の観点から適宜定められる。本実施の形態では、凹凸ピッチの約１／２に設定されている。すなわち、凸条１２１の幅と凹溝１２２の幅とがほぼ等しくなるように設定されている。
【００３９】
本実施の形態では、上述したように、開口部の対向する２辺がそれぞれ対応する凹溝１２２内に位置するように凸条１２１のピッチを設定している。その際、凸条１２１および／または凹溝１２２の幅は、上記の条件を満たした上で、デザイン上の観点から適宜定められる。本実施の形態では、凹凸ピッチの約１／２に設定されている。すなわち、凸条１２１の幅と凹溝１２２の幅とがほぼ等しくなるように設定されている。もちろん、凸条のピッチ、凸条の幅、凹溝の幅等は、これに限られない。
【００４０】
このように、本実施の形態によれば、機器要素類を収容する開口部１３１〜１３３の配置と、凹凸パターン１２０とが整合性を持って並ぶこととなる。また、本実施の形態では、開口部１３１〜１３３のいずれにおいても、その辺が凹溝内に位置している。これにより、外見上目立つ凸条の形態を崩すことなく、開口部を配置することができ、デザイン条の整合性を保つ効果がある。その結果、筐体の正面部について、ユーザの使い勝手をよくした上で、斬新な印象を与えるデザインを生かせることとなる。また、凹溝１２２内で開口部を設けることで、凹溝１２２に位置する開口部の辺が、凸条１２１の陰に位置することとなって、目立ちにくくなる効果もある。そのため、デザインに影響を与えにくいということができる。さらに、薄い凹溝１２２に断面を持つこととなるため、加工も容易である。
【００４１】
以上の説明は、筐体１００を横置きした場合を想定している。しかし、本実施の形態は、縦置きも可能である。縦置きする場合には、前述したように、横置き状態での左側面部１１３を底面として、足部材１８０により、筐体１００を立てる。この場合でも、正面部１１４は、正面となるため、上述した横置きの場合と同様の議論が成り立つ。縦置きの場合には、横置き状態で右側面部１１２が上面となる。本実施の形態では、図１に示すように、右側面部１１２についても、凹凸パターン１２０を形成してあるので、縦置きされた場合、上面部に凹凸パターン１２０が位置することになる。従って、縦置きの場合における天地向きの正逆がユーザにわかりやすい。そのため、天地の向きを逆にして筐体１１０を立てることを防ぐことができる。
【００４２】
次に、前記開口部１３１には、そこに装着される記録媒体駆動装置３１０のトレイ３１５の前面が表れ、および、開口部１３２には、そこに設けられるシャッタ１３６が表れる。そこで、本考案におけるデザインの統一性をより向上するため、本実施の形態では、図８および図９にそれぞれ示すように、トレイ３１５の前面３１５ａ、および、シャッタ１３６の前面に、それぞれ、凹凸パターン１２０と同じ材料で、同じ幅およびピッチで、かつ、同じ色で、凸条を設けている。すなわち、トレイ３１５の前面３１５ａには、凸条３１７−３、３１７−４と、その間にできる凹溝３１８−３とを設けている。これらの凸条３１７−３および３１７−４は、いずれも、その延長が前述した開口部１３１を通る凸条１２１−３および１２１−４と対応して一直線上に並ぶ。また、シャッタ１３６には、凸条３２７−３を設けている。この凸条３２７−３は、その延長が前述した開口部１３２を通る凸条１２１−３と対応して一直線上に並ぶ。図６に、上部筐体１１０の正面部１１４に関し、それぞれ、開口部１３１〜１３５についてそれぞれ異なる位置で破断した状態を示す。
【００４３】
なお、変化を付けるため、凸条３１７−３、３１７−４、凸条３２７−３について、色を変えること、凸条の形態を変えることもできる。
【００４４】
このように、トレイ３１５が没状態にある場合には、開口部１３１には、１２１−３および１２１−４と対応して一直線上に凸条３１７−３および３１７−４が並ぶ。従って、見かけ上は、凸条１２１−３および１２１−４がそのまま配列されているように見える。また、シャッタ１３６が閉じている場合には、凸条１２１−３と対応して一直線上に凸条３２７−３が並ぶ。そのため、シャッタ３１６が閉じている場合には、凸条１２１−３がそのまま配列されているように見える。この結果、上部筐体１１０の正面部１１４は、凸条が連続して見え、凹凸パターン１２０によって、筐体が引き締まって見える効果、斬新な印象を与える効果がより一層強調される。
【００４５】
なお、本実施の形態に係るエンタテインメント装置は、その一つの用途として、ゲーム装置として使用することができる。図１４に示すように、本考案に係るエンタテインメント装置は、本体１００と、それに付属するコントローラ２００と、図示していないディスプレイ装置とでゲーム装置を構成する。図１４に示す例では、二人でゲームすることが可能な状態を示しているが、一人でゲームする装置としてもよい。従って、コントローラ２００は、１台の場合もある。なお、ゲームに限らず、音響再生、映像再生、通信等のために、用いることも可能である。
【図面の簡単な説明】
【００４６】
【図１】図１は、本考案の一実施形態の外観の一例を示す斜視図。
【図２】図２は、本考案の一実施形態において用いる筐体の分解斜視図。
【図３】図３は、本考案の一実施形態における上部筐体を示す正面図。
【図４】図４は、本考案の一実施形態を示す正面図。
【図５】図５は、本考案の一実施形態を示す背面図。
【図６】図６は、本考案の一実施形態に用いられる筐体を上面から見た状態を示し、正面側の一部をそれぞれ異なる位置で破断して示す平面図。
【図７】図７は、本考案の一実施形態を底面側から見たい状態を示し、背面側の一部を破断して示す底面図。
【図８】図８は、上部筐体における記録媒体駆動装置を装着する部分を破断して示す部分側面図。
【図９】図９は、上部筐体における、記録装置用コネクタプラグが配置される部分の正面部の断面形状を示す部分断面図。
【図１０】図１０は、上部筐体における、操作部が配置される部分の正面部の断面形状を示す部分断面図。
【図１１】図１１は、筐体の正面部における排気口部分を示す部分断面図。
【図１２】図１２は、筐体の背面部における外部インタフェースのプラグを装着するためのソケットコネクタ部分を示す部分断面図。
【図１３】図１３は、本実施の形態の筐体内に収容された機器本体の回路構成を示す斜視図。
【図１４】図１４は、本実施の形態に係る電子機器としてエンタテインメント装置の一例を示す正面図。
【符号の説明】
【００４７】
１００…筐体、１１０…上部筐体、１１１…上部筐体上面部、１１２…上部筐体右側面部、１１３…上部筐体左側面部、１１４…上部筐体正面部、１２０…凹凸パターン部、１２１…凸条、１２２…凹溝、１３１、１３２、１３３、１３４、１３５…開口部、１３１ａ、１３１ｂ、１３２ａ、１３２ｂ、１３３ａ、１３３ｂ…開口辺、１４０…中央シャーシ、１４１…背面部、１４２…中敷部、１４３ａ…切欠部、１７０…下部筐体、１７４…下部筐体正面部、１７５…下部筐体下面部、２００…コントローラ、３１０…記録媒体駆動装置、３２０、３３０…ソケットコネクタ。
【図１】
0003106892.tif 000003
【図２】
0003106892.tif 000004
【図３】
0003106892.tif 000005
【図４】
0003106892.tif 000006
【図５】
0003106892.tif 000007
【図６】
0003106892.tif 000008
【図７】
0003106892.tif 000009
【図８】
0003106892.tif 000010
【図９】
0003106892.tif 000011
【図１０】
0003106892.tif 000012
【図１１】
0003106892.tif 000013
【図１２】
0003106892.tif 000014
【図１３】
0003106892.tif 000015
【図１４】
0003106892.tif 000016